(57)【要約】【課題】  足指を先芯に直接的に接触させないようにして足指を保護する保護体を備え、足指が先芯に接触して傷めることを阻止することができる中敷きを提供する。【解決手段】  中敷き２１は、足先を覆う先芯５を靴先に内蔵した作業靴１の中底６に敷設され、中敷き本体２４と、中敷き本体２４の先端に設けられ、前記先芯５の内面側に当接し、足指を保護する保護体３０とからなる。中敷き２１は、中敷き本体２４の踵載置部に、踵を所定位置に位置決めする凹部２８が形成されている。【選択図】図２
2012245168.tif 000002
【特許請求の範囲】
【請求項１】
足先を覆う先芯を靴先に内蔵した靴の中底に敷設される中敷きであって、
中敷き本体と、
中敷き本体の先端に設けられ、前記先芯の内面側に当接し、足指を保護する保護体とからなることを特徴とする中敷き。
【請求項２】
足先を覆う先芯を靴先に内蔵した靴の中底に敷設される中敷きであって、
中敷き本体と、
中敷き本体の先端で起立された足指を保護する保護体とからなることを特徴とする中敷き。
【請求項３】
前記中敷き本体の踵載置部には、踵を所定位置に位置決めする凹部が形成されていることを特徴とする請求項１又は２記載の中敷き。
【発明の詳細な説明】
【技術分野】
【０００１】
本発明は、靴先に足先を覆う先芯を内蔵した作業靴の中底に敷設される中敷きに関するものである。
【背景技術】
【０００２】
従来、作業靴１は、図６に示すように、建築現場、工場等において重量物の落下、鋼材との衝突等から足を保護するため、靴先に先芯５が内蔵されている（例えば、特許文献１）。この先芯５は、足指が接触する面に内装材１８が貼着されている。
【先行技術文献】
【特許文献】
【０００３】
【特許文献１】特許第３７７６１５８号公報
【発明の概要】
【発明が解決しようとする課題】
【０００４】
上記した作業靴１は、靴内に足を収納すると、足指が先芯５内に挿入して内装材１８に接触するが、内装材１８は薄く形成されているので、殆ど直接的な感覚で足先が先芯５に接触することになる。先芯５は、上記したように、重量物の落下等から足を保護するために、剛性の高い素材で形成されている。従って、作業靴１は、履いて歩いたり走ったりすると、足指が先芯５に衝撃的に接触したり擦れたりして、履き心地が悪く、さらに、足指を痛めたり傷付けたり血豆ができたりすること等の問題点があった。特に、図１３に示すように、膝を曲げて接地しながら爪先を立てる「しゃがみ作業」を行う場合には、靴先に設けられた先芯５に足指が圧接して、足指を痛めることがあった。作業靴１には、履き心地を良くし、足裏を痛めないように保護するため、中敷きが中底に敷設されるが、この従来の中敷きでも足指を保護することができないという問題点を有し、そのため、足指を少しでも傷めないように、厚手の靴下を履いてから作業靴１を履くことが日常的に行われていた。また、従来の作業靴１は、上記したように、靴先に先芯５が設けられているので、靴内で足が前後に移動すると、前述したように、足指が先芯５に当たり、足指を痛めることがあった。そのため、作業靴１内で、足が移動しないように足を保持する中敷きが望まれていた。
【０００５】
本願発明は上記問題点に鑑み発明されたものであって、足指が先芯に直接的に接触させないように足指を保護する保護体を有し、足先が先芯に接触して感じる不快感を解消して履き心地を改善させると共に、足指が先芯に接触して傷めることを阻止することができる中敷きを提供することを第１の目的とする。また、足を靴内で移動しないように保持し、足指が先芯に衝撃的に接触して足指を痛めないようにした中敷きを提供することを第２の目的とする。
【課題を解決するための手段】
【０００６】
本願請求項１に係る中敷きは、上記第１の目的を達成するため、足先を覆う先芯を靴先に内蔵した靴の中底に敷設される中敷きであって、中敷き本体と、中敷き本体の先端に設けられ、前記先芯の内面側に当接し、足指を保護する保護体とからなることを特徴とする。
【０００７】
本願請求項２に係る中敷きは、上記第１の目的を達成するため、足先を覆う先芯を靴先に内蔵した靴の中底に敷設される中敷きであって、中敷き本体と、中敷き本体の先端で起立された足指を保護する保護体とからなることを特徴とする。
【０００８】
本願請求項３に係る中敷きは、上記第２の目的を達成するため、前記中敷き本体の踵載置部には、踵を所定位置に位置決めする凹部が形成されていることを特徴とする。
【発明の効果】
【０００９】
本願発明に係る中敷きは、足先を覆う先芯を靴先に内蔵した靴の中底に敷設される中敷きであって、中敷き本体と、中敷き本体の先端に設けられ、前記先芯の内面側に当接し、足指を保護する保護体とからなる。本願発明に係る中敷きは、作業靴の足挿入口から挿入すると、中敷き本体が作業靴の中底に敷設され、保護体が作業靴の内部先端に当接して折曲し、先芯の内側面側に密接する。又、本願発明に係る中敷きは、中敷き本体と、中敷き本体の先端で起立された足指を保護する保護体とからなっても良い。
【００１０】
本願発明に係る中敷きは、作業靴内に足を収納すると足指が先芯内に挿入するが、足指を保護体によって保護するので、足先が先芯に接触して感じる不快感を解消して履き心地を改善させると共に、歩いたり走ったりしても、保護体が緩衝部材となって足指が先芯に衝撃的に接触したり擦れたりして足指を痛めたり傷付けたり血豆を作ったり等の障害から保護することができるという効果がある。
【００１１】
本願発明に係る中敷きは、中敷き本体の踵載置部に、踵を所定位置に位置決めする凹部が形成されている。本願発明に係る中敷きは、凹部により踵を所定位置で位置決めするので、足が靴内で移動しないように保持することができ、足指が先芯に衝撃的に接触して足指を痛めることがないという効果がある。
【図面の簡単な説明】
【００１２】
【図１】本願発明に係る中敷きの一つの実施の形態を示す説明図であって、（ａ）が平面図、（ｂ）が一部裁断した側面図である。
【図２】図１の中敷きの保護体を折曲した状態を説明する説明図であって、（ａ）が平面図、（ｂ）が側面図である。
【図３】図１（ｂ）の中敷きのＸ−Ｘ断面図である。
【図４】図１の中敷きに足を載置した平面図である。
【図５】作業靴の側面図である。
【図６】作業靴の側面断面図である。
【図７】作業靴の一部省略した上面図である。
【図８】先芯の斜視図である。
【図９】作業靴の中底に図１の中敷きを敷設した側面断面図である。
【図１０】図１の中敷きの保護体を折曲した状態を説明する斜視図である。
【図１１】図１の中敷きを上側から見た斜視図である。
【図１２】図１の中敷きを下側から見た斜視図である。
【図１３】しゃがみ作業を示す説明図である。
【図１４】本願発明に係る中敷きの他の実施の形態を示す説明図であって、（ａ）が平面図、（ｂ）が一部裁断した側面図である。
【図１５】図１４の中敷きの保護体を折曲した状態を説明する説明図であって、（ａ）が平面図、（ｂ）が側面図である。
【図１６】先芯の他の例を表した説明図である。
【図１７】作業靴の中底に図１４の中敷きを敷設した側面断面図である。
【発明を実施するための形態】
【００１３】
以下、本願発明の一つの実施の形態を説明する。図９に示すように、中敷き２１は、足先を覆う先芯５を靴先に内蔵した作業靴１の中底６に敷設される。中敷き２１は、図１に示すように、中敷き本体２４と、中敷き本体２４の先端に設けられ、前記先芯５の内面側に当接し、足指を保護する保護体３０とからなる。中敷き２１は、作業靴１の足挿入口から挿入すると、中敷き本体２４が作業靴１の中底６に敷設され、図９に示すように、保護体３０が作業靴１の内部先端に当接して折曲し、先芯５の内側面側に密接する。又、中敷き２１は、中敷き本体２４と、中敷き本体２４の先端で起立された足指を保護する保護体３０とからなっても良い。中敷き２１は、作業靴１内に足を収納すると足指が先芯５内に挿入するが、足指を保護体３０によって保護するので、足先が先芯５に接触して感じる不快感を解消して履き心地を改善させると共に、歩いたり走ったりしても、保護体３０が緩衝部材となって足指が先芯５に衝撃的に接触したり擦れたりして足指を痛めたり傷付けたり血豆を作ったり等の障害から保護することができる。
【００１４】
中敷き２１は、図１のように、前記中敷き本体２４の踵載置部２７に、踵を所定位置に位置決めする凹部２８が形成されている。中敷き２１は、凹部２８により踵を所定位置で位置決めするので、足が作業靴１内で移動しないように保持することができ、足指が先芯５に衝撃的に接触して足指を痛めることがない。
【００１５】
まず、作業靴１について説明する。図５乃至図８に示すように、作業靴１は、足入れ部を構成するアッパー体２と、歩行面と接する靴底３と、アッパー体２と靴底３の間に設けたミッドソール４と、爪先部に内蔵した先芯５とを有している。
【００１６】
アッパー体２は、中底６と当該中底６の周囲に縫付された袋状の上物体７によって形成されている。上物体７は、軽量かつ柔軟な通気性の高い複合繊維素材８の表面に、合成皮革によって形成した所定形状の補強シート９（９ａ、９ｂ、９ｃ、９ｄ）を縫い付けたものとなっている。補強シート９ａは、上物体７の下端縁に沿って設けた帯状のシートとして設けられている。当該補強シート９ａは、中底６付近の両側面部分に設けたものであり、アッパー体２の中底６の両側面を補強することにより、作業靴１の剛性を高めて足の保持作用を向上させるものである。その他の補強シート９ｂ、９ｃ、９ｄは、複合繊維素材８よって形成した袋状部分の形状保持、引っ張りに対する伸び防止等を目的として設けている。
【００１７】
上物体７内面の踵周囲には、踵部の外周を覆う月形補強芯１０が設けられている。また、上物体７外面の踵周囲には、一般的には腰革と称される後方から前方に向かって高さが低くなる補強シート１１が設けられている。上物体７の爪先部は、複合繊維素材８を爪先を覆うように立体的に閉塞させた形状を成しており、内部に先芯５を介在させた状態で、その表面を爪先補強部材１２（１２ａ、１２ｂ）によって覆っている。爪先補強部材１２は、前記補強シート９と同一の合成皮革シートによって形成されたものであり、上面を覆う上面部材１２ａと側面を覆う側面部材１２ｂとを縫合し靴先に内蔵した先芯５を覆うような形状に形成したものである。
【００１８】
爪先補強部材１２と複合繊維素材８は、後端縁１２ｃにおいて縫合されている。爪先補強部材１２の下端である側面部材１２ｂの下端は、中底６の位置よりも長く延ばした縁部を有しており、当該縁部を中底６の裏面に貼り付けている。そして、爪先補強部材１２の底面（縁部）は、中底６と靴底３の間に挟まれて固定されている。アッパー体２の爪先部は、複合繊維素材８と爪先補強部材１２との二重構造になっており、複合繊維素材８（内装材１８）と爪先補強部材１２の間に設けられた隙間に先芯５が装着されるようになっている。爪先補強部材１２を固定している後端縁１２ｃは、先芯５の後端縁近くに配置されるようになっている。先芯５は、上記構造により中底６と靴底３によって固定された爪先補強部材１２に保持されることになり、つま先部から移動することなく固定されるようになっている。
【００１９】
爪先補強部材１２は、前記先芯５を覆った後に下方の縁部を中底６の底面側に引っ張りつつ接着される。これにより、爪先補強部材１２は張力によって伸びつつ先芯５の表面に密着し先芯５を固定することができる。また、前記先芯５を装着し、爪先補強部材１２の下端を引っ張って固定した中底６の底面には、靴底３が貼り付けられる。この靴底３の貼り付けは、足の土踏まず若しくは拇指球付近を境界として、その前方部分においては中底６に対して直接貼り付けられている。また、境界の後方部分では中底６の底面にミッドソール４を貼り付け、当該ミッドソール４に対して靴底３が貼り付けられている。
【００２０】
前記爪先補強部材１２によって保持される先芯５は、下端に内側に向かって突出した折り曲げ片（スカート）を有しない外周壁を有するとともに、当該外周壁とともに足先全体を覆う一個の収容空間を形成する上部壁を有した図８に示す形状を成している。作業靴１は、歩行面からの振動や起伏などの情報が足裏に伝わり易くするために折り曲げ片（スカート）の無い先芯５を装着し、当該先芯５に作用する荷重はミッドソールが介在しない中底６の裏面に直接貼り付けた靴底３によって受けるようになっている。
【００２１】
一方、拇指球付近から後方の部分には、中底６と靴底３の間にミッドソール４が設けられている。作業靴１は、ミッドソール４は軽量なＥＶＡによって形成されており、前方から後方に向かって次第に肉厚を増す形状に形成されている。また、肉厚を増すに従って外周囲を高く形成し、アッパー体２の踵部周囲を中心に高く覆うようになっている。このような形状にすることで、軽量かつ柔軟な素材で形成されているアッパー体２の外周囲を補強し、アッパー体２の型崩れを防止するようになっている。また、着用者の踵にかかる衝撃を緩和することもできる。
【００２２】
靴底３は、略均等な肉厚に形成された基部１３と、当該基部１３の表面から突設した複数の小突起を接地ブロック１４として設けたゴム製の柔軟性のあるシート状の部材である。当該靴底３の基部１３の厚みは２〜３ｍｍ、接地ブロック１４の突出量も２〜３ｍｍに形成されている。接地ブロック１４は、四角柱や円柱といった形状の小凸片として靴底面全体に隙間を設けながら分散して配置されており、前記２〜３ｍｍの肉厚に形成されている基部１３の屈曲を阻害しないように形成されている。
【００２３】
作業靴１は靴の前半部にミッドソールを設けていない。そのため、靴の前半部では靴底３の変形や靴底３に作用する荷重、摩擦、滑り等の感覚的な情報が、中底６を介して直接的に足裏に伝達することができるようになっている。また、先芯５は、下端縁の所定幅を内側に折り曲げた折り曲げ片（スカート）を設けていない。先芯に折り曲げ片（スカート）があると、足裏に伝わる靴底の形状変化や各種の情報伝達が阻害されるので、不安定な足場で作業する着用者にとっては、歩行面からの情報を得にくい作業靴となり好まれない。この点、作業靴１は先芯５に折り曲げ片（スカート）を設けていないので歩行面からの情報が得やすい靴となっている。
【００２４】
次に中敷き２１について説明する。図１に示すように、中敷き２１は、熱可塑性樹脂の発泡体２２と、当該発泡体２２の上面に接着剤によって固着された布体２３とによって形成され、中敷き本体２４と保護部材（保護体）３０とからなる。中敷き本体２４は、作業靴１の中底６の形状に切断され、前足底を載置する先部２５と、土踏まず部が位置する中間部２６と、踵を載置する後部（踵載置部）２７とからなる。保護部材３０は、足指を保護するためのものであり、先部２５の先端２９に連接されている。
【００２５】
保護部材３０は、直線縁３１と曲線縁３２に囲まれて形成されている。保護部材３０は、直線縁３１が中敷き本体２４の先端２９に接続され、当該接続部３３を中心として折曲する。保護部材３０は、先芯５の内側面側に密接するように形成されている。中敷き本体２４は、後部２７の周縁と中間部２６の両側縁が上方に傾斜するように、発泡体２２が熱加工され、後部２７の傾斜部２７ａと中間部２６の傾斜部２６ａ、２６ｂによって、中敷き本体２４に載置される足（踵）の位置決めを行う凹部２８が形成されている。
【００２６】
中敷き２１は、作業靴１の足挿入口から挿入すると、図９に示すように、作業靴１の中底６に中敷き本体２４が敷設される。保護部材３０は、作業靴１の内部先端に当接して、接続部３３を中心として上方に折曲し、先芯５の内側面側に湾曲変形して密接する。中敷き２１は、前記ミッドソール４の外周部位によって補強された踵部の内面によって保持される。
【００２７】
作業靴１内に足を収納すると、足が中敷き２１の上に載置され、足指が硬い先芯５内に挿入される。踵は、中敷き本体２４の後部（踵載置部）２７の凹部２８に載置され、この位置で位置決めされる。この中敷き２１により、足が保持され、歩行面が前後あるいは左右方向に傾いた傾斜面であっても靴内で足が滑らず、かつ高さを低く形成したアッパー体２によって足首の屈曲運動を妨げないようになっている。
【００２８】
作業靴１は、前半部が薄く形成されているので、作業場所の表面を足裏で確認することができ、爪先を立てて「しゃがみ作業」を行い易い構成である。作業靴１は、先芯５により足を外部の衝撃から保護できるが、この「しゃがみ作業」を行う場合、爪先が先芯５に当たり、爪先を痛めてしまう場合があった。前記中敷き２１は、足指を先芯５との接触から保護する保護部材３０を有し、保護部材３０がクッションとして機能を発揮して足指を保護するので、足先が先芯５に接触して感じる不快感を解消して履き心地を良くし、さらに、足指が先芯５に接触して痛めることがない。このように、中敷き２１は、凹部２８によって足（踵）を安定して保持し、さらに、足指を保護部材３０によって、先芯５との接触による障害から保護することができる。
【００２９】
以下、本願発明の他の実施の形態を説明する。中敷き４１は、図１４に示すように、中敷き本体４４と、中敷き本体４４の先端に設けられ、先芯５の内面側に当接し、足指を保護する第１の保護体５０と、中敷き本体４４の先端よりやや後方の両側端に設けられた第２の保護体５５，５６とからなる。中敷き４１は、作業靴１の足挿入口から挿入すると、中敷き本体４４が作業靴１の中底６に敷設され、図１７に示すように、第１の保護体５０が作業靴１の内部先端に当接して折曲し、先芯５の内側面側に密接する。このとき、第２の保護体５５，５６も図１５，１７のように作業靴１の内部に当接して上方へ折曲する。中敷き４１は、作業靴１内に足を収納すると足指が先芯５内に挿入するが、足指を第１の保護体５０によって保護し、足指（親指と小指）の関節付近を第２の保護体５５，５６で保護するので、歩いたり走ったりしても、第１の保護体５０および第２の保護体５５，５６が緩衝部材となって足指や足指（親指と小指）の関節が先芯５に衝撃的に接触したり擦れたりして足指を痛めたり傷付けたり血豆を作ったり等の障害から保護することができる。
【００３０】
また、中敷き４１は、図１６に示すような先芯を用いる場合にも有効である。図１６において、６１は先芯の他の実施の形態を表した斜視図であり、一例として鋼鉄で形成された鋼製先芯として形成されたものである。
図示した先芯６１は右足用として形成されたものであり、左足用の先芯は当該図示した先芯と左右対称の形状に形成されるものとなっている。先芯６１は、先端壁６２、左側壁６３、右側壁６４、上面壁６５をなだらかな曲面で連続するように形成した椀状の殻体として形成されたものである。当該殻体の肉厚は概ね１〜２mmであり、当該殻体の内部には、足先を収容する収容空間が設けられている。
【００３１】
先芯６１は、上記構造に加え少なくとも一方の側壁に、当該側壁の後端縁を前記上面壁６５の中央位置における後端縁６６よりも後方に延長した延長側壁６７を設けた構成である。最適な具体例としては、外側に面した小指側の側壁である右側壁６４に延長側壁６７を設けている。延長側壁６７は、長さおよび高さともに着用者の小指を側方から十分に覆うことができる大きさの略方形状の突出片となっている。
【００３２】
このような先芯６１を作業靴１に内蔵させた場合でも、中敷き４１を作業靴１の足挿入口から挿入すると、図１５，１７のように第１の保護体５０が作業靴１の内部先端に当接して折曲し、第２の保護体５５，５６も作業靴１の内部に当接して上方へ折曲する。このとき、第２の保護体５５は、先芯６１の延長側壁６７の片面側（小指側）を覆うため、小指が延長側壁６７に衝撃的に接触しようとしても、その衝撃を第２の保護体５５が緩和してくれるため、履き心地を改善して、小指を痛めることがなくなる。また、先芯６１の他の側壁（親指側）に延長側壁を設けた場合であっても、第２の保護体５６が当該延長側壁の片面側（親指側）を覆うため、親指が延長側壁６７に衝撃的に接触しようとしても、その衝撃を第２の保護体５６が緩和してくれるため、履き心地を改善して、親指を痛めることがない。
【００３３】
中敷き４１は、図１４のように、前記中敷き本体４４の踵載置部４７に、踵を所定位置に位置決めする凹部４８が形成されている。中敷き４１は、凹部４８により踵を所定位置で位置決めするので、足が作業靴１内で移動しないように保持することができ、足指が先芯６１に衝撃的に接触して足指を痛めることがない。
【産業上の利用可能性】
【００３４】
本発明は、先芯を備えた作業靴に装着される中敷きに利用可能である。
【符号の説明】
【００３５】
１  作業靴
２  アッパー体
３  靴底
４  ミッドソール  
５  先芯
６  中底
７  上物体
８  複合繊維素材
９  補強シート
９ａ  補強シート
９ｂ  補強シート
９ｃ  補強シート
９ｄ  補強シート
１０  月形補強芯
１１  補強シート
１２  爪先補強部材
１２ａ  上面部材
１２ｂ  側面部材
１２ｃ  後端縁
１３  基部
１４  接地ブロック
１８  内装材
２１  中敷き
２２  発泡体
２３  布体
２４  中敷き本体
２５  先部
２６  中間部
２６ａ  傾斜部
２６ｂ  傾斜部
２７  後部（踵載置部）
２７ａ  傾斜部
２８  凹部
２９  先端
３０  保護体（保護部材）
３１  直線縁
３２  曲線縁
３３  接続部
４１  中敷き
４４  中敷き本体
４７  踵載置部
４８  凹部
５０  第１の保護体
５５  第２の保護体
５６  第２の保護体
６１  先芯
６２  先端壁
６３  左側壁
６４  右側壁
６５  上面壁
６６  後端縁
６７  延長側壁
【図１】
2012245168.tif 000003
【図２】
2012245168.tif 000004
【図３】
2012245168.tif 000005
【図４】
2012245168.tif 000006
【図５】
2012245168.tif 000007
【図６】
2012245168.tif 000008
【図７】
2012245168.tif 000009
【図８】
2012245168.tif 000010
【図９】
2012245168.tif 000011
【図１０】
2012245168.tif 000012
【図１１】
2012245168.tif 000013
【図１２】
2012245168.tif 000014
【図１３】
2012245168.tif 000015
【図１４】
2012245168.tif 000016
【図１５】
2012245168.tif 000017
【図１６】
2012245168.tif 000018
【図１７】
2012245168.tif 000019